(57)【要約】【課題】分数を伴う設定値を通常のテンキーから簡単に入力できる操作部を備えた画像形成装置、設定入力表示方法、プログラムおよび記憶媒体を提供することを目的とする。【解決手段】分数入力モードにおいて、テンキーから数値（ｉ）が入力されると、その数値が整数部の数値として設定された入力範囲に入っているか否か判定し（Ｓ６）、次に入力された数値（ｉｉ）が整数部の１の位と分数部の分子のいずれにもなり得る場合は、（ｉ）（ｉｉ）を確定せず（Ｓ１７）、次に入力された数値（ｉｉｉ）で整数部と分子部が確定可能な場合は、整数部に（ｉ）、分子部に（ｉｉ）、［／］をそれぞれ表示し、分母の位置にカーソルを表示して分母入力待ち状態とし（Ｓ３０）、数値（ｉｉｉ）が分母にしかなり得ない値の場合は（ｉ）を整数部、（ｉｉ）を分子部、（ｉｉｉ）を分母にして設定値入力処理を終了する。【選択図】図１６
2007298694.tif 000002
【特許請求の範囲】
【請求項１】
画像形成条件を設定する設定入力画面が表示可能な表示部と、数値情報を入力するテンキーを含む入力部と、該入力部から入力された情報を前記表示部に表示する入力表示制御手段とを含む操作部を有する画像形成装置において、
前記入力表示制御手段は、分数表示が用いられる単位系の数値により画像形成条件を設定する設定入力モードにおいて、前記テンキーから入力される数値情報を分数として前記設定入力画面の設定値表示領域に表示することを特徴とする画像形成装置。
【請求項２】
前記入力表示制御手段は、テンキーから分数の分子に対応する数値情報が入力されると、当該数値情報を分子の数値として分数記号と共に表示することを特徴とする請求項１に記載の画像形成装置。
【請求項３】
前記入力表示制御手段は、分子の数値と分数記号が表示され、分母の入力待ち状態の場合は分母の位置にカーソルを表示することを特徴とする請求項３に記載の画像形成装置。
【請求項４】
前記入力表示制御手段は、テンキーから入力された数値情報が入力可能な数値か否か判定し、入力不可能な数値の場合はその数値情報の入力を無効にすることを特徴とする請求項１から３のいずれかに記載の画像形成装置。
【請求項５】
前記判定は、前記画像形成条件ごとに予め設定されている設定値の入力範囲および前記単位系における分数の最小単位を規定する分母および約分可能な場合の分母についての情報にもとづいて行われることを特徴とする請求項４に記載の画像形成装置。
【請求項６】
前記単位系はインチ系であり、前記分数の最小単位は１／８インチであることを特徴とする請求項１から５のいずれかに記載の画像形成装置。
【請求項７】
前記入力表示制御手段は、前記設定モードが選択されたときに前記設定入力画面の設定値表示領域にデフォルト値を表示することを特徴とする請求項１から６のいずれかに記載の画像形成装置。
【請求項８】
前記入力表示制御手段は、前記設定値表示領域の近傍に表示されているアップ・ダウンキーの押下により、前記設定値表示領域に表示されている数値を前記分数の最小単位で増減させることを特徴とする請求項７記載の画像形成装置。
【請求項９】
前記画像形成条件の設定は、とじしろコピーモードにおけるとじしろ値の設定であることを特徴とする請求項１から８のいずれかに記載の画像形成装置。
【請求項１０】
前記画像形成条件は、タブコピー機能を使う場合の画像シフト幅であることを特徴とする請求項１から８のいずれかに記載の画像形成装置。
【請求項１１】
画像形成条件を設定する設定入力画面が表示可能な表示部と、数値情報を入力するテンキーを含む入力部と、該入力部から入力された情報を前記表示部に表示する入力表示制御手段とを含む操作部を有する画像形成装置において、
前記入力表示制御手段は、分数表示が用いられる単位系の数値により画像形成条件を設定する設定入力モードにおいて、分数が帯分数の場合に前記テンキーから入力された数値情報を整数部、分子部および分母部として前記設定入力画面の設定値表示領域に表示することを特徴とする画像形成装置。
【請求項１２】
前記入力表示制御手段は、テンキーから入力された数値情報が、整数部、分子部および分母部のいずれに該当するのかを判定し、その表示位置を決定することを特徴とする請求項１１に記載の画像形成装置。
【請求項１３】
前記判定は、前記画像形成条件ごとに予め設定されている設定値の入力範囲および前記分数表示の最小単位についての情報とテンキーから入力された数値情報およびその入力操作回数情報とに基づいて行うことを特徴とする請求項１２に記載の画像形成装置。
【請求項１４】
前記入力表示制御手段は、前記判定結果に基づいてテンキーから入力された数値情報の数値を整数部の数値として確定し、かつ、分数記号と共に分数の表示位置にカーソルを表示することを特徴とする請求項１３に記載の画像形成装置。
【請求項１５】
前記入力表示制御手段は、テンキーから入力不可能な数値が入力された場合はその入力を無効にすることを特徴とする請求項１１から１４のいずれかに記載の画像形成装置。
【請求項１６】
前記単位系はインチ系であり、分数表示の最小単位は１／８インチであることを特徴とする請求項１１から１５のいずれかに記載の画像形成装置。
【請求項１７】
前記入力表示制御手段は、前記設定入力モードが選択されたときに前記設定入力画面の設定値表示領域にデフォルト値を表示することを特徴とする請求項１１から１６のいずれかに記載の画像形成装置。
【請求項１８】
前記入力表示制御手段は、前記設定値表示領域の近傍に表示されているアップ・ダウンキーの押下により設定入力画面に表示されている数値を前記分数の最小単位で増減することを特徴とする請求項１７に記載の画像形成装置。
【請求項１９】
前記画像形成条件の設定は、インチ系の用紙サイズの設定であることを特徴とする請求項１１〜１８のいずれかに記載の画像形成装置。
【請求項２０】
画像形成条件を設定する設定入力画面が表示可能な表示部と、数値情報を入力するテンキーを含む入力部と、該入力部から入力された情報を前記表示部に表示する入力表示制御手段とを含む操作部を有する画像形成装置における設定入力表示方法であって、前記画像形成条件を分数が用いられる単位系の数値により設定する設定モードにおいて、前記画像形成条件ごとに予め設定されている設定値の入力範囲および前記分数表示の最小単位についての情報とテンキーから入力された数値情報および入力操作回数情報とに基づいて、テンキーから入力された数値情報が分数の整数部、分数の分子部および分母部のいずれに該当するかを判定し、当該数値情報を前記設定入力画面の設定値表示領域に分数として表示することを特徴とする画像形成装置における設定入力表示方法。
【請求項２１】
テンキーから入力された数値情報で整数部の数値が確定可能になった場合に当該数値情報の数値を整数部として確定し、かつ、分数記号と共に分数の表示位置にカーソルを表示することを特徴とする請求項２０に記載の画像形成装置における設定入力表示方法。
【請求項２２】
前記単位系はインチ系であり、分数表示の最小単位は１／８インチであることを特徴とする請求項２０または２１のいずれかに記載の画像形成装置における設定入力表示方法。
【請求項２３】
前記設定入力モードが選択されたときに前記設定入力画面の設定値表示領域にデフォルト値を表示することを特徴とする請求項２０から２２のいずれかに記載の画像形成装置における設定入力表示方法。
【請求項２４】
前記設定値表示領域の近傍にはアップ・ダウンキーが表示され、該アップ・ダウンキーの押下により設定入力画面に表示されている分数の値を前記最小単位で増減させることを特徴とする請求項２２または２３に記載の画像形成装置における設定入力表示方法。
【請求項２５】
前記画像形成条件の設定は、コピー機能を使う場合のインチ系の用紙サイズの設定であることを特徴とする請求項２０〜２４のいずれかに記載の画像形成装置における設定入力表示方法。
【請求項２６】
請求項２０から２５のいずれかに記載の画像形成装置における設定入力表示方法を、コンピュータに実行させるためのコンピュータプログラム。
【請求項２７】
請求項２６に記載のプログラムをコンピュータが読み取り可能に格納された記録媒体。
【発明の詳細な説明】
【技術分野】
【０００１】
本発明は、画像形成条件を設定する設定入力画面が表示可能な操作部を備えた画像形成装置、その設定入力表示方法、プログラムおよび記録媒体に関する。
【背景技術】
【０００２】
一般に、デジタル複合機などの画像形成装置には、設定画面をはじめ各種の情報を表示する液晶パネルと設定入力用タッチパネルを一体にした操作部、コピー枚数の指定その他数値情報を入力するテンキーが設けられており、画像形成条件を数値で設定する場合は、設定項目に対応する設定値表示領域の近傍に表示されるアップ・ダウンキーを利用して所望の数値が表示されまでタッチ操作を繰り返すことにより行えるようにしているのが一般的である。しかし、アップ・ダウンキーによる入力操作は、所望の数値が表示されるまで何回もタッチ操作を繰り返えさなければならいことから時間と手間がかかり、操作性に劣る。
このような問題を解決するものとして、例えば、特許文献１に見られるように、予め設定値を登録しておくことにより、設定値入力を簡単に行えるようにしたものがある。
【特許文献１】特開平６−１１９０９６号公報
【発明の開示】
【発明が解決しようとする課題】
【０００３】
上記の従来技術では、設定値の入力をアップ・ダウンキーだけではなく、別の画面に表示されるテンキーを利用して設定値の入力を行うことができるようになっているのでアップ・ダウンキーだけの場合のような問題は存在していない。しかしながら、表示されるテンキーは、通常の数値を入力するためのものであり、分数で表される単位系の数値をテンキーで入力することは考えられていない。したがって、分数を伴う数値を入力する場合はアップ・ダウンキーを利用するのが一般的である。テンキーの他に、分数専用の入力キーを設けるやり方もあるが、画像形成装置など機器においては操作部を配置するスペースに限りがあり、また、コストアップにもなることから採用することは難しい。分数入力可能なテンキーを設定入力画面に表示させる方法も考えられるが、限られたサイズの表示画面にテンキーを表示させた場合、その分、他の情報を表示する領域が少なくなってしまい、設定入力に関連する情報を十分表示することができなくなって設定操作が分かりづらくなるという欠点がある。
【０００４】
本発明は、上述のごとき現状に鑑みてなされたものであり、分数を伴う設定値を通常のテンキーから簡単に入力できる操作部を備えた画像形成装置、設定入力表示方法、プログラムおよび記憶媒体を提供することを目的とする。
【課題を解決するための手段】
【０００５】
上記の課題を解決するために、本発明は以下の技術手段を備えている。
第１の技術手段は、画像形成条件を設定する設定入力画面が表示可能な表示部と、数値情報を入力するテンキーを含む入力部と、該入力部から入力された情報を前記表示部に表示する入力表示制御手段とを含む操作部を有する画像形成装置において、前記入力表示制御手段は、分数表示が用いられる単位系の数値により画像形成条件を設定する設定入力モードにおいて、前記テンキーから入力される数値情報を分数として前記設定入力画面の設定値表示領域に表示することを特徴とする。
【０００６】
第２の技術手段は、第１の技術手段において、前記入力表示制御手段は、テンキーから分数の分子に対応する数値情報が入力されると、当該数値情報を分子の数値として分数記号と共に表示することを特徴とする。
第３の技術手段は、第１または２の技術手段において、前記入力表示制御手段は、分子の数値と分数記号が表示され分母の入力待ち状態の場合は分母の位置にカーソルを表示することを特徴とする。
【０００７】
第４の技術手段は、第１から３のいずれかの技術手段において、前記入力表示制御手段は、テンキーから入力された数値情報が入力可能な数値か否か判定し、入力不可能な数値の場合はその数値情報の入力を無効にすることを特徴とする。
第５の技術手段は、第４の技術手段において、前記判定は、前記画像形成条件ごとに予め設定されている設定値の入力範囲および前記単位系における分数の最小単位を規定する分母および約分可能な場合の分母についての情報にもとづいて行われることを特徴とする。
第６の技術手段は、第１から５のいずれかの技術手段において、前記単位系はインチ系であり、前記分数の最小単位は１／８インチであることを特徴とする。
【０００８】
第７の技術手段は、第１から６のいずれかの技術手段において、前記入力表示制御手段は、前記設定モードが選択されたときに前記設定入力画面の設定値表示領域にデフォルト値を表示することを特徴とする。
第８の技術手段は、第７の技術手段において、前記入力表示制御手段は、設定値表示領域の近傍に表示されているアップ・ダウンキーの押下により、設定値表示領域に表示されている数値を前記分数の最小単位で増減させることを特徴とする。
第９の技術手段は、第１から８のいずれかの技術手段において、前記画像形成条件の設定は、とじしろコピーモードにおけるとじしろ値の設定であることを特徴とする。
第１０の技術手段は、第１から８のいずれかの技術手段において、前記画像形成条件の設定は、タブコピーモードにおける画像シフト幅の設定であることを特徴とする。
【０００９】
第１１の技術手段は、画像形成条件を設定する設定入力画面が表示可能な表示部と、数値情報を入力するテンキーを含む入力部と、該入力部から入力された情報を前記表示部に表示する入力表示制御手段とを含む操作部を有する画像形成装置において、前記入力表示制御手段は、分数表示が用いられる単位系の数値により画像形成条件を設定する設定入力モードにおいて、分数が帯分数の場合に前記テンキーから入力された数値情報を整数部、分子部および分母部として前記設定入力画面の設定値表示領域に表示することを特徴とする。
【００１０】
第１２の技術手段は、第１１の技術手段において、前記入力表示制御手段は、テンキーから入力された数値情報が、分数の整数部、分数の分子部および分母部のいずれに該当するのかを判定し、その表示位置を決定することを特徴とする。
第１３の技術手段は、第１２の技術手段において、前記判定は、前記画像形成条件ごとに予め設定されている設定値の入力範囲および前記分数表示の最小単位についての情報とテンキーから入力された数値情報およびその入力操作回数情報とに基づいて行うことを特徴とする。
第１４の技術手段は、第１３の技術手段において、前記入力表示制御手段は、前記判定結果にもとづいてテンキーから入力された数値情報の数値を整数部の数値として確定し、かつ、分数記号と共に分数の表示位置にカーソルを表示することを特徴とする。
【００１１】
第１５の技術手段は、第１１から１４のいずれかの技術手段において、前記入力表示制御手段は、テンキーから入力不可能な数値が入力された場合はその入力を無効にすることを特徴とする。
第１６の技術手段は、第１１から１５のいずれかの技術手段において、前記単位系はインチ系であり、分数表示の最小単位は１／８インチであることを特徴とする。
第１７の技術手段は、第１１から１６のいずれかの技術手段において、前記入力表示制御手段は、前記設定入力モードが選択されたときに前記設定入力画面の設定値表示領域にデフォルト値を表示することを特徴とする。
第１８の技術手段は、第１７の技術手段において、前記入力表示制御手段は、前記設定値表示領域の近傍に表示されるアップ・ダウンキーが押下されると設定入力画面に表示されている分数の値を前記最小単位で増減することを特徴とする。
第１９の技術手段は、第１１から１８のいずれかの技術手段において、前記画像形成条件の設定は、インチ系の用紙サイズの設定であることを特徴とする。
【００１２】
第２０の技術手段は、画像形成条件を設定する設定入力画面が表示可能な表示部と、数値情報を入力するテンキーを含む入力部と、該入力部から入力された情報を前記表示部に表示する入力表示制御手段とを含む操作部を有する画像形成装置における設定入力表示方法であって、前記画像形成条件を分数が用いられる単位系の数値により設定する設定モードにおいて、前記画像形成条件ごとに予め設定されている設定値の入力範囲および前記分数表示の最小単位についての情報とテンキーから入力された数値情報および入力操作回数情報とに基づいて、テンキーから入力された数値情報が、分数の整数部、分数の分子部および分母部のいずれに該当するかを判定し、当該数値情報を前記設定入力画面の設定値表示領域に分数として表示することを特徴とする。
【００１３】
第２１の技術手段は、第２０の技術手段において、テンキーから入力された数値情報で整数部の数値が確定可能な場合に当該数値情報の数値を整数部として確定し、かつ、分数記号と共に分数の表示位置にカーソルを表示することを特徴とする。
第２２の技術手段は、第２０または２１の技術手段において、前記単位系はインチ系であり、分数表示の最小単位は１／８インチであることを特徴とする。
第２３の技術手段は、第２０から２２のいずれかの技術手段において、前記設定入力モードが選択されたときに前記設定入力画面の設定値表示領域にデフォルト値を表示することを特徴とする。
第２４の技術手段は、第２２または２３の技術手段において、前記設定値表示領域の近傍にはアップ・ダウンキーが表示され、該アップ・ダウンキーの押下により設定入力画面に表示されている分数の値を前記最小単位で増減させることを特徴とする。
第２５の技術手段は、第２０から２４のいずれかの技術手段において、前記画像形成条件の設定は、コピー機能を使う場合のインチ系の用紙サイズの設定であることを特徴とする。
第２６の技術手段は、第２０から２５のいずれかの技術手段による設定入力表示方法を、コンピュータに実行させるためのコンピュータプログラムであることを特徴とする。
第２７の技術手段は、第２６の技術手段におけるプログラムをコンピュータが読み取り可能に格納された記録媒体であることを特徴とする。
【発明の効果】
【００１４】
本発明は、上記のような技術手段を採用したことにより、分数を伴う設定値を既存のテンキーから少ない操作回数で容易に入力することが可能となる。
【発明を実施するための最良の形態】
【００１５】
図１は、本発明をデジタル複合機において実施する場合の一例を説明するためのブロック構成図である。デジタル複合機１は、複写機、ファクシミリ装置、ネットワークスキャナ装置、プリンタ装置、及びメール送信装置など各種の機能を備えており、他の印刷装置、パーソナルコンピュータ等からなるホスト装置、サーバ、等と一緒にネットワークに接続されて利用される。
【００１６】
図１において、１０は機器全体の動作制御を行う機器制御部、２０は本発明が適用される操作部であり、使用者の操作により各種の情報が入力されるタッチパネルと操作のために必要な情報その他各種の情報を表示する液晶パネルとが一体化された表示部と、数値情報を入力するテンキーを含む入力部、および入力部から入力された情報を前記表示部に表示する入力表示制御手段を備えており、詳細については後述する。
【００１７】
３０は、デジタル複合機１が行う処理を管理するための管理情報（各種の制御情報）を記憶するメモリからなる管理部、４０は、原稿画像を画像データとして取り込むためのＣＣＤや原稿の有無を検知する原稿検知センサなどを備えた画像読み取り部、５０は画像形成部であり、画像読み取り部４０で読み取った画像データをメモリ記憶し、記憶した画像データから画像を形成して記録用紙に記録する印字部（ＬＳＵ）、印字部で画像形成するための給紙用のトレイなどを備えている。６０は、画像形成部５０のメモリに記憶された画像データに対し画像処理を行う画像処理部、７０は、画像データその他の情報を格納するハードディスク、８０は、画像読み取り部４０で生成された画像データをネットワークを介してパーソナルコンピュータへ送信したりパーソナルコンピュータから送信された画像データを受信するための通信部である。
【００１８】
図２は、本発明が適用される操作部２０の一例を示したものである。図２において、２１は複数の機能の名から利用する機能を選択するための機能選択キーで、図の例ではプリンタ，ファックス／イメージ送信，コピーの機能が示されている。２２は各機能における選択項目や各種の情報を入力表示するためのタッチパネルである。２３は各機能におけるジョブ状況を表示させるときに使用するジョブ状況キー、２４は各種設定の数値入力に使用するテンキー、２５はユーザーが各種の設定行う場合に使用するユーザー設定キーを表しており、非定型の用紙サイズや手差しによるコピーをおこなう場合はこのユーザー設定キーを使用する。
【００１９】
次に、本発明の実施形態について、上記のデジタル複合機における画像形成条件の設定値入力を例に説明する。先ず、設定値の入力範囲が帯分数の形をとらない「とじしろコピー」の場合について説明する。図２に示されている操作部２０におけるタッチパネル２２の表示画面は、コピーモードが選択されたときのメニュー画面を表しており、この画面で表示されている項目の「特別機能」を選択すると図３の画面になり、この項目の中から「とじしろ」を選択すると図４の画面になり、この画面で「とじしろコピー」における「とじしろ」の設定を行う。図４は両面コピーの例で、「とじしろ」は左右とも０〜１インチの範囲であることを示している。
【００２０】
例えば設定値として「１／８」インチを入力するには、テンキー２４（図２）から「１」と入力すると「１」と共に右横に分数記号としての「／」が自動的に表示され、分母の入力待ち状態であることがユーザーに分かるようにしている。続いて「８」を入力すると表示は「１／８」となる。次いでＯＫキーを押すとカーソルは裏面の設定入力位置に移動するので、裏面の設定についても同様の入力操作を行い、入力した設定値に間違いがなければ「特別機能」の方のＯＫキーを押して「とじしろ」の設定を終了する。
【００２１】
設定値が１インチの場合は、テンキーから「１」を入力して「ＯＫ」キーを押下することにより設定は終了する。なお、表示されているアップ・ダウンキーを使うことにより「１／８」インチ単位で増減させることも可能になっている。したがって、デフォルト値を「１／８」インチにしておくと、アップ・ダウンキーにワンタッチするだけで「２／８」インチの設定が行える。このような場合はテンキーから入力するより操作回数がさらに少なくなる。しかし、アップ・ダウンキーで例えば「５／８」インチのような設定を行うには通常では４回のキー操作を行わなければならないことになる。それに対し、テンキーからの入力では２回のキー操作で行うことができる。
【００２２】
図５および図６はタブコピーの場合の例を示したものである。なお、タブコピーとは、あらかじめ給紙トレイにタブ紙をセットし、指定したタブ用紙のタブに見出しなどの文字印刷するもので、この場合は画像シフト幅をインチで設定することになっている。
タブコピーを行うには、図３の画面で「タブコピー」を選択し、図５の画面でタブの数をアップ・ダウンキー又はテンキーを使って入力し「ＯＫ」キーを押下することにより図６の画面になる。図示の例ではタブコピーの画像シフト幅は０〜５／８インチであることを表している。分数の入力方法は図４に示した「とじしろ」の設定の場合と同様である。ただし、この例の場合、分数として入力できる数値は「０〜５」と「８」になるので「６，７，９」の数値は入力できないようにしておき、入力しようとした場合には、例えばビープ音を発生するなど、入力ミスであることをユーザーに報知する。
【００２３】
次に、インチ系の非定形用紙に対して手差しでコピーを行う場合の例について説明する。用紙サイズの設定は、例えば自動倍率でコピーする場合は原稿サイズと用紙サイズが判断されるため、定形外用紙や手差しの場合、必ず行う必要がある。
本実施形態によるインチ系用紙のサイズ設定は、まず、図２に示した入力部２０に設けられているユーザー設定キー２５を押下し、図７に示す用紙サイズの設定画面を表示させ、図７の画面で「給紙トレイ設定」を選ぶと図８の給紙トレイ選択画面になり、アップ・ダウンキーにより図９に示す次画面を出して「手差し」を選択し、図１０の画面で用紙の種類を選んで「手動設定」にタッチすることにより図１１のサイズ設定画面が表示される。図１１に示す表示例は、設定できる用紙サイズの範囲はタテ、ヨコともに「２  １／２」〜「１７」インチであることを表している。インチ系の用紙サイズの場合、数値は整数部と分数部で表され、最小単位は前述の場合と同様「１／８」インチである。図１２は、用紙サイズの範囲を「２  １／２」〜「１７」インチとした場合の整数部と分数部における入力可能な数値および表示例を示した表である。表から分かるように、約分できる場合は約分した分数で表される。
【００２４】
図１３は、デフォルト値が「２  １／２」、設定値の入力範囲が「２  １／２」から「１７」インチの場合の具体的な入力表示例を示したものである。
図１３（Ａ）は、最初に「３」以上の数値が入力された場合の例を示しており、テンキーから入力された「３」をそのまま表示し、次いで「１」が入力されると「３」を整数部、「１」を分子部の数字として確定して表示し、さらに「／」とカーソルを表示する。すなわち、最初に「３」以上の数値が入力された場合、分数部のないサイズの設定である可能性があるのでカーソルは表示せずにそのまま「３」のみを表示する。「ＯＫ」キーが押されずに次の数値が入力された場合、それは分子部の数値であると判定することができるので「３」を整数部「１」を分数部としてそれぞれ確定し、カーソルを分母の位置で表示して分母入力待ち状態であることが分かるようにしている。最初の数値が「３」以上のときはカーソルを表示しない理由は、分数部のない１桁の整数部のサイズを設定する際に、カーソルが表示されていると入力待ち状態のようになり、ユーザーが戸惑うかもしれないからである。
【００２５】
図１３（Ｂ）は、最初に「２」が入力された場合の例を示しており、分数部の入力がないと設定範囲内にならないので「２」を整数部と数値として確定し、カーソル、「／」と共に表示して分子部の入力待ち状態であることが分かるようにしている。次いで「３」が入力されると分子として確定して表示すると共に、カーソルを分母の位置に移動して分母の入力待ち状態とする。
最初に「１」が入力された場合は、その数値は整数部の１０の位ということになるので図１３（Ｃ）に示すように、カーソルを整数部の１の位のところに表示するようにしている。
図１３（Ｄ）は、設定範囲最大の数値（「１７」）が入力されている状態で更にキンキーを押下すると整数部からの再入力になるようにした例を示している。
【００２６】
図１３（Ｅ）は、分子まで入力し、分母の入力待ち状態で「ＯＫ」キーを押下した場合、つまり、分数部の入力が完了しない状態で終了した場合は整数部の数値のみ有効にし、入力した分子部の数値は無効にし、分子部からの再入力となるようにした例を示している。
図１３（Ｆ）は、「１」を入力して「ＯＫ」キーを押下した場合、すなわち、整数部の１の位の入力待ちの状態で終了した場合は、未入力の１の位は「０」として整数部を「１０」にする例を示している。
図１３（Ｇ）は、最小値未満の「２」を入力して「ＯＫ」キーを押下した場合は入力範囲の最小値である「２  １／２」となる丸め処理を行う例を示している。
図１３（Ｈ）は、丸め処理を行わずに「ＯＫ」キーを押下したときエラーメッセージを表示し、再入力となるようにした例を示している。
【００２７】
図１４は、テンキー入力と「↑」「↓」キー入力の組み合わせるようにした場合の入力例を示している。
図１４（Ａ）は、デフォルト値が同じく「２  １／２」の場合、最初に「↑」キーを押下すると最小単位である［１／８］が加えられて「２  ５／８」となる例を示している。
図１４（Ｂ）は、テンキーから「５」を入力して「↑」キーを押下すると、［１／８］が加算されて「５  １／８」となる例を示している。
図１４（Ｃ）は、分母の入力待ち状態で「↑」キーを押下した場合、整数部の「３」のみが確定しているものとし、それに「１／８」を加算するようにした例を示している。
図１４（Ｄ）は、同じく分母待ち状態で「↓」キーが入力された場合、整数部の「３」から「１／８」を減算して「２  ７／８」になるようにした例である。
図１４（Ｅ）は、最初に「１」を入力した場合は１０の位の数値として扱い、１の位の入力待ち状態では１の位が「０」であるとして扱うようにした例を示し、この状態で「↑」キーを押下すると「１０」に「１／８」が加算されて「１０  １／８」となる。
図１４（Ｆ）は、「１」を入力したあと「↓」キーを押下すると、「１０」から「１／８」が減算されて「９  ７／８」となる例を示している。
【００２８】
次に、帯分数で表されるインチ系用紙サイズの設定値入力について、図１５のフローチャートにより説明する。設定値の入力範囲は「２  １／２」から「１７」インチにあらかじめ設定されていることが前提となっている。なお、以下の説明において記号（ｉ）〜（ｉｖ）はテンキーから入力された数値情報の数値の意味だけでなく、入力あるいは入力操作の回数を意味することもある。
前述した操作により設定入力モードが選択されると、まず、ステップＳ１でデフォルト値の「２  １／２」を表示し、ステップＳ２でテンキーからの最初の数値情報（ｉ）が「０」か否かを判定し（ステップＳ３）、整数部の数値として「０」はあり得ないので入力された数値情報が「０」であればエラーにし（ステップＳ４）、「０」以外であればステップＳ５でデフォルト値の「２  １／２」の表示を消してステップＳ６に進む。
【００２９】
ステップＳ６では最初に入力された数値情報（ｉ）が「１又は２」か、それとも「３」以上かを判定する。数値情報（ｉ）が「３」以上で（ステップＳ６／Ｎ）、さらにその後「ＯＫ」キーが押されれば（ステップＳ７）、その設定値は分数部のない「３〜９」インチということになるので、整数部に（ｉ）を確定し、それを表示して（ステップＳ８）設定入力フローは終了する。
【００３０】
テンキーから最初に入力された数値情報（ｉ）が「１又は２」の場合は（ステップＳ６／Ｙ）、その数値情報（ｉ）を表示し（ステップＳ９）、次に入力された数値情報（ｉｉ）（ステップＳ１０）が入力可能な数値か否かを判定する(ステップＳ１２)。ここでは、最初に入力された数値が「１又は２」であるから、入力可能な数値は「０〜７」ということになり、「８」又は「９」が入力されたときはエラーにする（ステップＳ１２）。入力した数値情報（ｉｉ）が入力可能な数値であり（ステップＳ１１／Ｙ）、つづいて「ＯＫ」キーが押された場合（ステップＳ１３／Ｙ）、入力した数値（ｉ）と（ｉｉ）の２桁の整数部のみで表される数値が設定値の入力範囲すなわち１７インチ以内に入っているか否かが判定され（ステップＳ１４）、入力範囲に入っていれば整数部に（ｉ）（ｉｉ）の数値を確定して(ステップＳ１５)設定値入力フローは終了する。入力した数値（ｉｉ）が入力範囲外であればエラーになり（ステップＳ１６）、ステップＳ１０に戻る。
【００３１】
ステップＳ１３で「ＯＫ」キーが押されておない場合（ステップＳ１１／Ｙ）、最初の入力数値（ｉ）の後に入力数値（ｉｉ）をそのまま表示する（ステップＳ１７）。次いで、テンキーから３番目の数字入力（ｉｉｉ）があると（ステップＳ１８）、それが入力可能な数値か否か判定され（ステップＳ１９）、分数は１／８〜７／８なので「０」また「９」が入力されたときはエラーにし(ステップＳ２０)、それ以外の数値で「ＯＫ」キーが押されたた場合は（ステップＳ２１／Ｙ）、それが分母になり得る数値すなわち「２」「４」「８」のいずれかであればステップＳ２３で整数部に（ｉ）、分子に（ｉｉ）、分母に（ｉｉｉ）を確定し、整数部と分数部が表示され、設定入力フローは終了する。入力数値（ｉｉｉ）が「２」「４」「８」以外の場合はエラーとなり（ステップＳ２４）ステップＳ１８に戻り再入力となる。
【００３２】
ステップＳ２１で「ＯＫ」キーが押されなければステップＳ２５に進み、整数部に（ｉ）（ｉｉ）、分子に（ｉｉｉ）を確定して「／」まで表示し、カーソルを分母の位置にして分母入力待ちの状態となる。
一方、ステップＳ７で「ＯＫ」キーが押されてない場合はステップＳ２６に進み、整数部に入力数値（ｉ）を確定し、（ｉ）と「／」を表示しカーソルを分子の位置にして分子入力待ち状態となる。次いで、ステップＳ２７でテンキーから２番目の数字（ｉｉ）が入力され（ステップＳ２７）、それが入力不可能な数値であればエラーにし(ステップＳ２９)、分子になり得る「１〜７」の数値であればステップＳ３０に進み、整数部に数値（ｉ）、分子に数値（ｉｉ）を確定して「／」を表示し、カーソルを分母の位置に移動して分母の入力待ち状態とし、以降のフローは前述のステップＳ２５以降のフローと共通になる。
【００３３】
分母の入力待ち状態でテンキーから数値入力があると（ステップＳ３１）、それが分母になり得ない数値であればエラーとし（ステップＳ３３）、分母になり得る数値すなわち「２」「４」「８」であればステップＳ３４に進み、分母に数値（ｉｖ）を確定し、設定入力フローを終了する。
なお、帯分数を表示する場合は、整数部と分数部が区別できるように間にスペースやアンダーバーを挿入することになるが、上述した本実施形態の説明は、その点についての説明を省略している。
また、約分できる分数の場合についてステップは上述のフローに示していないが、約分については、分母への入力が終了し、約分できる分数の場合は約分した形で確定し、表示するというフローを「終了」の前に挿入すればよい。
【図面の簡単な説明】
【００３４】
【図１】本発明が適用される画像形成装置としてのデジタル複合機のブロック図である。
【図２】デジタル複合機における操作部の表示部と入力部を示す図である。
【図３】デジタル複合機のコピーモードにおける特別機能を選択した際のメニュー項目の画面表示例を示す図である。
【図４】本発明の実施形態として、特別機能のとじしろコピーにおけるサイズを設定するときの画面表示例を示す図である。
【図５】本発明の実施形態として、特別機能のタブコピーにおける条件を設定する際の画面表示例を示す図である。
【図６】本発明の実施形態として、特別機能のタブコピーにおけるサイズを設定するとき画面表示例を示す図である。
【図７】図１に示すデジタル複合機において、ユーザー設定を選択した際のメニュー項目の画面表示例を示す図である。
【図８】図１に示すデジタル複合機において、ユーザー設定で給紙トレイ設定を選択した際の画面表示例を示すである。
【図９】図１に示すデジタル複合機において、給紙トレイ設定で「手差し」を選択する際の画面表示例を示す図である。
【図１０】本発明の実施形態として、「手差し」の際のタイプ／サイズ設定を行う際の画面表示例を示す図である。
【図１１】本発明の実施形態として、「手差し」で非定型サイズのインチ系用紙を使う際のサイズ設定画面表示例を示す図である。
【図１２】インチ系の用紙で「２１／８」インチ〜「１７」インチのサイズを表す図である。
【図１３】本発明の実施形態として、分数で表される数値を設定入力する際の入力表示例を示す図である。
【図１４】本発明の実施形態として、帯分数で表される数値を設定入力する際の入力表示例を示す図である。
【図１５】本発明の実施形態として、帯分数で表されるインチ系の設定値入力表示について説明するためのフロー図である。
【図１６】図１５の続きを示す図である。
【符号の説明】
【００３５】
１…デジタル複合機、１０…機器制御部、２０…操作部、２１…機能選択キー、２２…タッチパネル、２３…ジョブ状況キー、２４…テンキー、２５…ユーザー設定キー、３０…管理部、４０…画像読み取り部、５０…画像形成部、６０…画像処理部、７０…ハードディスク（ＨＤ）、８０…通信部。
【図１】
2007298694.tif 000003
【図２】
2007298694.tif 000004
【図３】
2007298694.tif 000005
【図４】
2007298694.tif 000006
【図５】
2007298694.tif 000007
【図６】
2007298694.tif 000008
【図７】
2007298694.tif 000009
【図８】
2007298694.tif 000010
【図９】
2007298694.tif 000011
【図１０】
2007298694.tif 000012
【図１１】
2007298694.tif 000013
【図１２】
2007298694.tif 000014
【図１３】
2007298694.tif 000015
【図１４】
2007298694.tif 000016
【図１５】
2007298694.tif 000017
【図１６】
2007298694.tif 000018